(57)【特許請求の範囲】
【請求項１】
カードが挿着されるハウジングと、カード受け部を有し、該カード受け部がカードの挿入及び排出に伴いカードと係合してカードの挿入及び排出方向に移動可能に配設されたスライド部材と、このスライド部材をカードの排出方向へ付勢する復帰ばねと、この復帰ばねの付勢力に抗して前記スライド部材をカードの挿着位置にロックすると共に、前記スライド部材をロック位置から奥方へ移動させることによりロックを解除させるロックピン及びこのロックピンが摺動するハート型カム溝からなるロック手段とを備え、前記スライド部材を一枚の金属板で形成し、前記スライド部材には、基部と、前記ロックピンが挿通される開口からなる挿通部を設けた前記基部の前縁部を後方に折り返すことによって弾性を有する板ばね状に形成し、前記ロックピンを揺動可能に支持してその一端を前記ハート型カム溝に付勢するロックピン付勢部と、前記基部の前記カードと対向する一側縁部にカードの係止用凹部に係合して前記カードを挿着位置に保持する弾性係止部と、前記基部の他側縁部に前記ハウジングと係合しカードの挿入及び排出方向に移動する際の移動をガイドするガイド部とを形成したことを特徴とするカード用コネクタ装置。
【請求項２】
前記ハート型カム溝は、前記ハウジングのカード挿入方向前端側に形成され、このハート型カム溝に摺動する前記ロックピンが前記スライド部材の前縁部から突出して支持されたことを特徴とする請求項１記載のカード用コネクタ装置。
【請求項３】
前記ロックピン付勢部には、前記ロックピンの一端側が揺動可能に挿通される挿通部と、この挿通部の両縁に位置する折り返し部と、この折り返し部に連結され前記ロックピンの一端を前記ハート型カム溝に付勢する押圧部とを形成し、この押圧部を前記ロックピンの突出方向とは直交する方向に長尺状に形成したことを特徴とする請求項２記載のカード用コネクタ装置。
【請求項４】
前記折り返し部には、前記スライド部材の前縁部から突出する突出部が形成され、この両突出部間に前記ロックピンの一端を配置したことを特徴とする請求項３記載のカード用コネクタ装置。
【請求項５】
前記スライド部材をカードの排出方向へ付勢する復帰ばねを、前記ハート型カム溝が前端側に形成された前記ハウジングの後端側に配置すると共に、前記スライド部材がカードの挿着位置へ移動した時には前記スライド部材の前端部が前記ハート型カム溝と重なるように形成したことを特徴とする請求項１記載のカード用コネクタ装置。
【請求項６】
前記ガイド部は、前記スライド部材の他側縁部を前記ハウジングの内底面側に折り曲げることにより形成され、前記ハウジングの内底面には前記他側縁部に対応して凹状のガイド溝を形成したことを特徴とする請求項１記載のカード用コネクタ装置。
【発明の詳細な説明】
【０００１】
【発明の属する技術分野】
本発明は、携帯電話、ＰＣなど各種携帯情報端末、デジタルカメラ、デジタルＡＶ機器などのメモリー対応機器に用いられる小型メモリーカード等に使用される、カード用コネクタ装置の構造に関する。
【０００２】
【従来の技術】
パーソナルコンピュータやデジタルカメラなどの電子機器の増設記録装置としてカード用コネクタ装置が一般的に使用されている。このカード用コネクタ装置の記憶媒体としてはＰＣカードやメモリーカードが広く使用さるようになってきている。
【０００３】
このＰＣカードやメモリーカードをカード用コネクタ装置に挿着して必要な情報の書き込み、及び読み取りを行うものであるが、カード用コネクタ装置には、カードを収容してカードの挿入方向へ移動可能なスライド部材を、カードの挿着位置に保持するロック機構を備えたものがある。この挿着位置に保持されたカードをカードの排出位置に排出させる場合には、ロックされたスライド部材のロックを解除することにより、スライド部材をカードの排出方向へ付勢している復帰ばねの付勢力によってスライド部材をカードの排出方向へ移動させることにより、カードをスライド部材と共に押し出すようにした構成のものが知られている。
【０００４】
ロック機構としては、ロック部を有するハート型カム溝と、このハート型カム溝に沿って摺動可能なロックピンと、このロックピンの一端をハート型カム溝に付勢する付勢ばねとを備えており、スライド部材の移動に伴ってロックピンがハート型カム溝を移動してロック部にロックすると共に、カードを一旦押圧することによってスライド部材のロックを外してカードを排出させる構成となっている。
【０００５】
この場合、スライド部材はロック機構によってカードの挿着位置にロックされるが、カードは挿着位置ではコネクタ端子などの端子圧によって保持されているのみであり、カードが振動などによって抜け出してしまう虞があることから、カードの保持を確実にするために昨今では、カードを収容するスライド部材に弾性を有する弾性突出片を形成し、この弾性突出片を挿着位置にあるカードの係止用凹部と係合させることでカードを保持する構成が提案されている。
【０００６】
【発明が解決しようとする課題】
しかしながら、上述した従来のカード用コネクタ装置においては、スライド部材には、挿着されたカードを保持するための弾性突出片や、ロックピンをハート型カム溝に付勢するための付勢ばねを設ける必要があり、部品点数が多くなるため組み立て工数が増えると共に、作業性が煩雑となりコスト高になってしまうという問題があった。
【０００７】
したがって、本発明では上述した問題点を解決し、カードの挿入及び排出に伴いカードと係合して移動可能なスライド部材を有するカード用コネクタ装置であって、カードを排出する排出機構の部品点数の削減を図ると共に、組立の作業性を簡易化して廉価対応が図れるカード用コネクタ装置を提供することを目的とする。
【０００８】
【課題を解決するための手段】
上記課題を解決するために本発明では、第１の手段として、カードが挿着されるハウジングと、カード受け部を有し、該カード受け部がカードの挿入及び排出に伴いカードと係合してカードの挿入及び排出方向に移動可能に配設されたスライド部材と、このスライド部材をカードの排出方向へ付勢する復帰ばねと、この復帰ばねの付勢力に抗して前記スライド部材をカードの挿着位置にロックすると共に、前記スライド部材をロック位置から奥方へ移動させることによりロックを解除させるロックピン及びこのロックピンが摺動するハート型カム溝からなるロック手段とを備え、前記スライド部材を一枚の金属板で形成し、前記スライド部材には、基部と、前記ロックピンが挿通される開口からなる挿通部を設けた前記基部の前縁部を後方に折り返すことによって弾性を有する板ばね状に形成し、前記ロックピンを揺動可能に支持してその一端を前記ハート型カム溝に付勢するロックピン付勢部と、前記基部の前記カードと対向する一側縁部にカードの係止用凹部に係合して前記カードを挿着位置に保持する弾性係止部と、前記基部の他側縁部に前記ハウジングと係合しカードの挿入及び排出方向に移動する際の移動をガイドするガイド部とを形成したことを特徴とする。
【０００９】
また、第２の手段として、前記ハート型カム溝は、前記ハウジングのカード挿入方向前端側に形成され、このハート型カム溝に摺動する前記ロックピンが前記スライド部材の前縁部から突出して支持されたことを特徴とする。
【００１０】
また、第３の手段として、前記ロックピン付勢部には、前記ロックピンの一端側が揺動可能に挿通される挿通部と、この挿通部の両縁に位置する折り返し部と、この折り返し部に連結され前記ロックピンの一端を前記ハート型カム溝に付勢する押圧部とを形成し、この押圧部を前記ロックピンの突出方向とは直交する方向に長尺状に形成したことを特徴とする。
【００１１】
また、第４の手段として、前記折り返し部には、前記スライド部材の前縁部から突出する突出部が形成され、この両突出部間に前記ロックピンの一端を配置したことを特徴とする。
【００１２】
また、第５の手段として、前記スライド部材をカードの排出方向へ付勢する復帰ばねを、前記ハート型カム溝が前端側に形成された前記ハウジングの後端側に配置すると共に、前記スライド部材がカードの挿着位置へ移動した時には前記スライド部材の前端部が前記ハート型カム溝と重なるように形成したことを特徴とする。
【００１３】
また、第６の手段として、前記ガイド部は、前記スライド部材の他側縁部を前記ハウジングの内底面側に折り曲げることにより形成され、前記ハウジングの内底面には前記他側縁部に対応して凹状のガイド溝を形成したことを特徴とする。
【００１４】
【発明の実施の形態】
以下、本発明の実施形態を図１乃至図８に示す。図１はカード用コネクタ装置の平面図、図２はスライド部材の平面図、図３は同じく側面図、図４は同じく正面図、図５乃至図８はカードの挿入及び排出時の動作状態を示し、図５はカードの挿入途上を示す説明図、図６はカードの挿着位置（ロック位置）を示す説明図、図７はカードの解除位置（オーバーストローク位置）を示す説明図、図８はカードの排出位置（初期位置）を示す説明図である。
【００１５】
図１乃至図４において、ハウジング１は、合成樹脂などの絶縁材で前方及び上方が開口された方形状の箱形に形成されている。このハウジング１の中央には、カードを収容するための収納部１ａが設けられており、また、前記ハウジング１の前面には、前記収納部１ａに連通するカード挿入部１ｂが形成されている。
【００１６】
また、カード挿入部１ｂに対向する前記収納部１ａの奥側には、収容されるカードの接触端子部（図示せず）と接触して、電子機器などの外部の回路基板上の回路パターンと接続されることで信号の伝送が行われる複数のコネクタ端子２が並設されたものとなっている。また、前記収納部１ａの両側部には、カードが挿入される際カードの側縁部をガイドして挿入を案内する挿入ガイド部１ｃが設けられている。
【００１７】
前記ハウジング１の一側部には、前記収納部１ａに並設して有底状の平坦部１ｄが設けられており、この平坦部１ｄに後述するスライド部材５がカードの挿入方向に移動可能に配設されるものとなっている。
【００１８】
また、前記平坦部１ｄの前端側には、複数の斜面や平面からなる環状のハート型カム溝１ｅが形成されている。このハート型カム溝１ｅに、後述するスライド部材５の軸孔５ｇに揺動可能に軸支される略Ｕ字状の金属材からなるロックピン３の一端側が摺動することで、スライド部材５がカードの挿着位置にロックされ、また排出位置に移動されるものとなっている。
【００１９】
そして、後述するスライド部材５がカードの挿着位置へ移動した時には、スライド部材５が前記ハート型カム溝１ｅと重なるように形成されており、また、前記ハート型カム溝１ｅと対向する後端側には、後述するスライド部材５をカードの排出方向へ付勢する、コイル状の復帰ばね４の一端が係止されるばね係止部１ｆが形成されている。
【００２０】
このように前記スライド部材５の前端部が前記ハート型カム溝１ｅと重なるように形成すると共に、前記スライド部材５の後方に前記復帰ばね４を配置するようにしたので、前記ロックピン３が前方に大きく突出しないため、その分前記復帰ばね４の長さを長くでき、カードの排出ストロークを大きくすることができるものとなっている。
【００２１】
また、前記平坦部１ｄには、カードの挿入方向に沿って細溝状のガイド溝１ｇが形成されており、このガイド溝１ｇに後述するスライド部材５のガイド部５ｍが係合するようになっている。このように前記ガイド溝１ｇを設けることにより、後述するスライド部材５をカードの挿入及び排出方向に円滑に移動させることができるものとなっている。
【００２２】
スライド部材５は、一枚の金属板をプレスなどで所定の形状に打ち抜いて複数箇所で折り曲げることにより略Ｌ字状に形成されている。このスライド部材５は、平板で略長方形状の基部５ａと、この基部５ａの先端側に交差する方向に延設されたカード受け部５ｂとを有している。このカード受け部５ｂは、前記ハウジング１の収納部１ａ内に突出されており、挿入される後述するカード６の前端縁と当接して前記スライド部材５をカードの挿入方向へ移動させるものとなっている。
【００２３】
また、前記基部５ａの前縁部には、この基部５ａから直角に折り曲げられ、更に後方に折り返された略Ｕ字状のロックピン付勢部５ｃが一体に形成されている。このロックピン付勢部５ｃは、前記折り曲げ部で片持ち状に支持されて、その先端が弾性を有する板ばね状に形成されて前記基部５ａの上面側に付勢されたものとなっている。
【００２４】
このように前記スライド部材５の前縁部を折り返すことにより前記ロックピン付勢部５ｃを設けるようにしたので、前記ロックピン３が前方に大きく突出しないため前記スライド部材５の移動ストロークを大きくとる必要がなくなり前記ハウジング１の奥行き寸法を小さくすることができるものとなっている。
【００２５】
前記ロックピン付勢部５ｃには、前記ロックピン３の一端側が揺動可能に挿通されるやや幅広の開口からなる挿通部５ｄと、この挿通部５ｄの両縁に対向して位置する一対の折り返し部５ｅと、この折り返し部５ｅに連結されてアーム状に延設され、前記ロックピン３の一端を前記ハート型カム溝１ｅに付勢する押圧部５ｆとが形成されており、また、この押圧部５ｆの先端側は前記ロックピン３の突出方向とは直交する方向に長尺状に形成されたものとなっている。また、前記ロックピン付勢部５ｃの近傍には、前記ロックピン３の他端が軸支される軸孔５ｇが形成されている。
【００２６】
このように前記押圧部５ｆを長尺状に設けることにより、前記ロックピン３が前記軸孔５ｇを支点として左右に揺動した時に、揺動する位置にかかわらずどの位置においても一定の付勢力を作用させることができるため、前記ロックピン３を安定して前記ハート型カム溝１ｅに沿って移動させることができるものとなっている。
【００２７】
また、一対の前記折り返し部５ｅには、前記スライド部材５の前縁部から突出するように突出部５ｈが形成されており、この両突出部５ｈ間に前記ロックピン３の一端が揺動可能に配置されるようになっている。このように前記突出部５ｈを設けることにより、前記挿通部５ｄに揺動可能に挿通される前記ロックピン３の一端側が前記突出部５ｈによって規制されることから、組み付け時における前記ロックピン３の滑落などを防止することができるものとなっている。
【００２８】
また、前記基部５ａの一側縁部には、開口部５ｉを介して両端が直角に折り曲げられ、その中央部が長尺板状の弾性係止部５ｊが一体に形成されている。この弾性係止部５ｊは、前記スライド部材５の長さ方向に沿って延びる弾性変形可能な弾性アーム部５ｋと、この弾性アーム部５ｋの中央に設けられ後述するカード６の側面部に形成された係止用凹部６ｂと係合する係合突出部５ｌとを備えている。
【００２９】
カードの挿着時には、前記弾性係止部５ｊの係合突出部５ｋが、前記カード６の係止用凹部６ｂに係合されるものとなり、前記カード６はカードの挿着位置に確実に保持されるものとなっている。
【００３０】
また、前記基部５ａの対向する他側縁部には、この側縁部の一部を前記ハウジング１の内底面側に直角に折り曲げることにより長尺状のガイド部５ｍが一体に形成されている。このガイド部５ｍが前記ハウジング１のガイド溝１ｇに係合されて前記スライド部材５のカードの挿入及び排出方向の移動を案内するものとなっている。
【００３１】
また、前記基部５ａの後端側には、前記ハウジング１のばね係止部１ｆに係止された、前記復帰ばね４の他端が係止されるフック状のばね係止部５ｎが設けられており、前記復帰ばね４の付勢力によって前記スライド部材５はカードの排出方向へ付勢されるものとなっている。この時、前記ロックピン３と前記ハート型カム溝１ｅとの協同によって前記スライド部材５は、前記復帰ばね４の付勢力に抗してカードの挿着位置に保持されるものとなっている。
【００３２】
カード６は、内部に集積回路（ＩＣ）が収納されており、記録媒体として広く使用されているものである。このカード６の一表面には、その一端側に複数の接触端子部（図示せず）が形成されており、この接触端子部が前記ハウジング１の収納部１ａに配設された複数のコネクタ端子２と接触することにより、外部に接続された電子機器との種々の情報処理が行われるものとなっている。
【００３３】
また、前記カード６には、前端側の一隅部に、斜面状の切り欠き部６ａが設けられており、この切り欠き部６ａの近傍で前記カード６の一側面部には、係止用凹部６ｂが形成されている。この係止用凹部６ｂに、前記スライド部材５の弾性係止部５ｊの係合突出部５ｌが係合することで前記カード６を前記スライド部材５と共に、カードの挿着位置に保持させるものとなっている。
【００３４】
次に、図５乃至図８を用いて前記カード６をコネクタ装置に挿入する場合の動作を説明する。
【００３５】
まず、初期の状態、すなわち前記カード６が排出位置にある場合には、前記スライド部材５は前記復帰ばね４の付勢力によりカードの排出方向へ付勢されている。この場合、前記カード６の接触端子部（図示せず）は前記ハウジング１のコネクタ端子２とは離間している。この時、前記カード６は、前記弾性係止部５ｊの係合突出部５ｌにより前記係止用凹部６ｂが係合されて前記スライド部材５に保持されたものとなっている。（図８）
【００３６】
次に、前記カード６をカードの挿入方向へ押圧してやると、前記カード６の前端縁が前記スライド部材５のカード受け部５ｂと係合することによって、前記スライド部材５が前記カード６の挿入に伴って挿入方向へ移動可能となり、前記復帰ばね４の付勢力に抗して前記スライド部材５がカードの挿入方向へ移動するものとなる。（図５）
【００３７】
そして、前記ロックピン３の一端が前記ハート型カム溝１ｅをトレースしてロック位置すなわちカードの挿着位置にロックされる。この時、前記カード６の接触端子部（図示せず）と前記ハウジング１に配設されたコネクタ端子２とが接触するものとなり、前記カード６は前記弾性係止部５ｊの弾性アーム部５ｋの付勢力によってカードの挿着位置に確実に保持されるものとなる。（図６）
【００３８】
次に、前記カード６を排出する場合には、図６の状態から、更に前記カード６を奥方すなわちカードの挿入方向へ押圧してやると、前記スライド部材５が奥方へ移動して前記ロックピン３の一端が前記ハート型カム溝１ｅのロック部から外れるものとなる。（図７）
【００３９】
そして、前記カード６への押圧を解除すると、前記スライド部材５は前記復帰ばね４の付勢力によってカードの排出位置である初期位置へ復帰するものとなる。（図８）
【００４０】
このように、前記スライド部材５と前記ハウジング１との間には、前記スライド部材５をカードの挿着位置にロックすると共に、前記スライド部材５をロック位置から一旦奥方へ移動させることによりロック状態を解除させて、前記カード６を前記スライド部材５によって排出させるための前記ハート型カム溝１ｅと、このハート型カム溝１ｅに沿って摺動する前記ロックピン３とからなるロック手段が設けられているので、簡単な構造で、前記カード６をカードの挿着位置にロックできると共に、前記カード６をカードの排出位置に円滑に排出させることができるものとなっている。
【００４１】
また、前記スライド部材５に形成された前記ロックピン付勢部５ｃには、前記ロックピン３の一端を前記ハート型カム溝１ｅに付勢する押圧部５ｆが形成されており、この押圧部５ｆの先端側は前記ロックピン３の突出方向とは直交する方向に長尺状に形成されているので、前記ロックピン３が前記軸孔５ｇを支点として左右に揺動した時に、揺動する位置にかかわらずどの位置においても一定の付勢力を作用させることができるため、前記ロックピン３を安定して前記ハート型カム溝１ｅに沿って移動させることができるものとなっている。
【００４２】
上記実施例の構成によれば、前記カード６が挿着される前記ハウジング１にカードの挿入及び排出に伴って前記カード６と係合してカードの挿入及び排出方向に移動可能に配設される前記スライド部材５を、一枚の金属板を必要形状に打ち抜いた後、複数箇所で折り曲げることにより形成しており、また、このスライド部材５には、前記ロックピン３を揺動可能に支持すると共に、その一端を前記ハウジング１に形成されたハート型カム溝１ｅに付勢するための前記ロックピン付勢部５ｃと、前記カード６の係止用凹部６ｂに係合して前記カード６を挿着位置に保持するための前記弾性係止部５ｊと、前記スライド部材５がカードの挿入及び排出方向に移動する際の移動をガイドする前記ガイド部５ｍとを、前記金属板を折り曲げることにより一体的に形成するようにしたので、前記スライド部材と共にカードを挿着位置に保持するための前記弾性係止部５ｊ及び前記ロックピン３を付勢する前記ロックピン付勢部５ｃを一体に形成することができるため、カードを挿入及び排出する排出機構の部品点数の削減が図れると共に、組み立て工数の削減、及び組み立て作業性が簡易化されることにより廉価対応が図れるものとなっている。
【００４３】
【発明の効果】
以上説明したように、本発明のカード用コネクタ装置は、カードが挿着されるハウジングと、カードの挿入及び排出に伴いカードと係合してカードの挿入及び排出方向に移動可能に配設されたスライド部材と、このスライド部材をカードの排出方向へ付勢する復帰ばねと、この復帰ばねの付勢力に抗してスライド部材をカードの挿着位置にロックすると共に、スライド部材をロック位置から奥方へ移動させることによりロックを解除させるロックピン及びこのロックピンが摺動するハート型カム溝からなるロック手段とを備え、スライド部材を一枚の金属板で形成し、スライド部材には、基部と、基部の前縁部にロックピンを揺動可能に支持してその一端をハート型カム溝に付勢するロックピン付勢部と、基部のカードと対向する一側縁部にカードの係止用凹部に係合してカードを挿着位置に保持する弾性係止部と、基部の他側縁部にハウジングと係合しカードの挿入及び排出方向に移動する際の移動をガイドするガイド部とを形成したことから、スライド部材と共にカードを挿着位置に保持するための弾性係止部及びロックピンを付勢するロックピン付勢部を一体に形成することができるため、カードを挿入及び排出する排出機構の部品点数の削減が図れると共に、組み立て工数の削減、及び組み立て作業性が簡易化されることにより廉価対応が可能となる。
【００４４】
また、ハート型カム溝は、ハウジングのカード挿入方向前端側に形成され、このハート型カム溝に摺動するロックピンがスライド部材の前縁部から突出して支持されており、ロックピン付勢部は、ロックピンが挿通される開口からなる挿通部を設けたスライド部材の前縁部を後方に折り返すことによって弾性を有する板ばね状に形成したことから、ロックピンが前方に大きく突出しないためスライド部材の移動ストロークを大きくとる必要がなくなり、ハウジングの奥行き寸法を小さくすることができる。
【００４５】
また、ロックピン付勢部には、ロックピンの一端側が揺動可能に挿通される挿通部と、この挿通部の両縁に位置する折り返し部と、この折り返し部に連結されロックピンの一端をハート型カム溝に付勢する押圧部とを形成し、この押圧部をロックピンの突出方向とは直交する方向に長尺状に形成したことから、ロックピンが軸孔を支点として左右に揺動した時に、揺動する位置にかかわらずどの位置においても一定の付勢力を作用させることができるため、ロックピンを安定してハート型カム溝に沿って移動させることができる。
【００４６】
また、折り返し部には、スライド部材の前縁部から突出する突出部が形成され、この両突出部間にロックピンの一端を配置したことから、突出部を設けることにより、挿通部に揺動可能に挿通されるロックピンの一端側が突出部によって規制されるため、組み付け時におけるロックピンの滑落などを防止することができる。
【００４７】
また、スライド部材をカードの排出方向へ付勢する復帰ばねを、ハート型カム溝が前端側に形成されたハウジングの後端側に配置すると共に、スライド部材がカードの挿着位置へ移動した時にはスライド部材の前端部がハート型カム溝と重なるように形成したことから、ロックピンが前方に大きく突出しないため、その分復帰ばねの長さを長くでき、カードの排出ストロークを大きくすることができる。
【００４８】
また、ガイド部は、スライド部材の他側縁部をハウジングの内底面側に折り曲げることにより形成され、ハウジングの内底面には他側縁部に対応して凹状のガイド溝を形成したことから、スライド部材のガイド部が係合するガイド溝を設けることにより、スライド部材をカードの挿入及び排出方向に円滑に移動させることができる。
【図面の簡単な説明】
【図１】本発明の一実施例であるカード用コネクタ装置を示す平面図である。
【図２】本発明のスライド部材を示す平面図である。
【図３】本発明の同じくスライド部材を示す側面図である。
【図４】本発明の同じくスライド部材を示す正面図である。
【図５】本発明のカードの挿入途上の動作状態を示す説明図である。
【図６】本発明のカードの挿着位置（ロック位置）の動作状態を示す説明図である。
【図７】本発明のカードの解除位置（オーバーストローク位置）の動作状態を示す説明図である。
【図８】本発明のカードの排出位置（初期位置）の動作状態を示す説明図である。
【符号の説明】
１  ハウジング
１ａ  収納部
１ｂ  カード挿入部
１ｃ  挿入ガイド部
１ｄ  平坦部
１ｅ  ハート型カム溝
１ｆ  ばね係止部
１ｇ  ガイド溝
２  コネクタ端子
３  ロックピン
４  復帰ばね
５  スライド部材
５ａ  基部
５ｂ  カード受け部
５ｃ  ロックピン付勢部
５ｄ  挿通部
５ｅ  折り返し部
５ｆ  押圧部
５ｇ  軸孔
５ｈ  突出部
５ｉ  開口部
５ｊ  弾性係止部
５ｋ  弾性アーム部
５ｌ  係合突出部
５ｍ  ガイド部
５ｎ  ばね係止部
６  カード
６ａ  切り欠き部
６ｂ  係止用凹部
【図１】
0003823038.tif 000002
【図２】
0003823038.tif 000003
【図３】
0003823038.tif 000004
【図４】
0003823038.tif 000005
【図５】
0003823038.tif 000006
【図６】
0003823038.tif 000007
【図７】
0003823038.tif 000008
【図８】
0003823038.tif 000009